(57)【特許請求の範囲】
【請求項１】
ＣＯＭＰ伝送に基づく無線通信システムの基地局で伝搬遅延を制御する方法であって、ダウンリンク・データを移動局に送信する時に、１つまたは複数の他の同期化されない基地局のデータの一部分を処理するステップと、同時に１つまたは複数の特定のタイム・スロットでデータの前記処理された一部分を前記移動局に送信するステップとを含む方法。
【請求項２】
前記基地局が同期化された基地局である時に、前記方法は、
ａ．それぞれ前記１つまたは複数の他の同期化されない基地局からＸ２インターフェースを介して１つまたは複数のバックホール・メッセージを受信するステップと、
ｂ．前記１つまたは複数のバックホール・メッセージのそれぞれ内の同期はずれ情報がそれぞれ０より大きいかどうかを判定するステップと、
ｃ．同期化されない基地局に対応する同期はずれ情報が０より大きい場合に、前記移動局にダウンリンク・データを送信する時に、前記同期化されない基地局によって送信されるダウンリンク・データ内の前記同期はずれ情報の長さに対応する先頭データ・ブロックを処理し、同時に特定のタイム・スロットで前記処理された先頭データ・ブロックを前記移動局に送信するステップであって、
前記特定のタイム・スロットは、ダウンリンク信号を送信するために前記同期化された基地局によって占有されるタイム・スロット内で、前記同期はずれ情報の前記長さだけ続く、開始タイム・スロットである
ステップと、
ｄ．同期化されない基地局に対応する同期はずれ情報が０より小さい場合に、前記移動局にダウンリンク・データを送信する時に、前記同期化されない基地局によって送信されるダウンリンク・データ内の前記同期はずれ情報の長さに対応する末尾データ・ブロックを処理し、同時に特定のタイム・スロットで前記処理された末尾データ・ブロックを前記移動局に送信するステップであって、
前記特定のタイム・スロットは、ダウンリンク信号を送信するために前記同期化された基地局によって占有されるタイム・スロット内で、前記同期はずれ情報の前記長さだけ続く、最終タイム・スロットである
ステップと
を含む、請求項１に記載の方法。
【請求項３】
前記先頭／末尾データ・ブロックを処理する前記ステップは、伝送されるべき前記先頭／末尾データ・ブロックに、前記同期化されない基地局から前記移動局までのダウンリンク・チャネルのチャネル伝送行列および前記同期化されない基地局のプリコーディング行列ならびに前記同期化された基地局から前記移動局までのダウンリンク・チャネルのチャネル伝送行列の逆行列および前記同期化された基地局のプリコーディング行列の逆行列を乗算するステップを含む、請求項２に記載の方法。
【請求項４】
前記基地局が、同期化されない基地局であり、前記同期化されない基地局に対応する同期はずれ情報が、０より大きい時に、前記方法は、
ｉ．それぞれ１つまたは複数の他の同期化されない基地局からＸ２インターフェースを介して１つまたは複数のバックホール・メッセージを受信するステップと、
ｉｉ．前記１つまたは複数のバックホール・メッセージのそれぞれ内の同期はずれ情報が０より小さいかどうかを判定するステップと、
ｉｉｉ．他の同期化されない基地局に対応する同期はずれ情報が０より小さい場合に、ダウンリンク・データを前記移動局に送信する時に、前記他の同期化されない基地局によって送信されたダウンリンク・データ内の前記同期はずれ情報の長さに対応する末尾データ・ブロックを処理し、特定のタイム・スロットで前記処理された末尾データ・ブロックを前記移動局に送信するステップと
を含み、前記特定のタイム・スロットは、ダウンリンク信号を送信するために前記同期化されない基地局によって占有されるタイム・スロット内で、前記同期はずれ情報の前記長さだけ続く、最終タイム・スロットである
請求項１に記載の方法。
【請求項５】
前記末尾データ・ブロックを処理する前記ステップは、伝送されるべき前記末尾データ・ブロックに、前記他の同期化されない基地局から前記移動局までのダウンリンク・チャネルのチャネル伝送行列および前記他の同期化されない基地局のプリコーディング行列ならびに前記同期化されない基地局から前記移動局までのダウンリンク・チャネルのチャネル伝送行列の逆行列および前記同期化されない基地局のプリコーディング行列の逆行列を乗算するステップを含む、請求項４に記載の方法。
【請求項６】
前記基地局が、同期化されない基地局であり、前記同期化されない基地局に対応する同期はずれ情報が、０より小さい時に、前記方法は、
ｉ’．それぞれ前記１つまたは複数の他の同期化されない基地局からＸ２インターフェースを介して１つまたは複数のバックホール・メッセージを受信するステップと、
ｉｉ’．前記１つまたは複数のバックホール・メッセージのそれぞれ内の同期はずれ情報が０より大きいかどうかを判定するステップと、
ｉｉｉ’．他の同期化されない基地局に対応する同期はずれ情報が０より大きい場合に、ダウンリンク・データを前記移動局に送信する時に、前記他の同期化されない基地局によって送信されたダウンリンク・データ内の前記同期はずれ情報の長さに対応する先頭データ・ブロックを処理し、特定のタイム・スロットで前記処理された先頭データ・ブロックを前記移動局に送信するステップと
を含み、前記特定のタイム・スロットは、ダウンリンク信号を送信するために前記同期化されない基地局によって占有されるタイム・スロット内で、前記同期はずれ情報の前記長さだけ続く、開始タイム・スロットである
請求項１に記載の方法。
【請求項７】
前記先頭データ・ブロックを処理する前記ステップは、伝送されるべき前記先頭データ・ブロックに、前記他の同期化されない基地局から前記移動局までのダウンリンク・チャネルのチャネル伝送行列および前記他の同期化されない基地局のプリコーディング行列ならびに前記同期化されない基地局から前記移動局までのダウンリンク・チャネルのチャネル伝送行列の逆行列および前記同期化されない基地局のプリコーディング行列の逆行列を乗算するステップを含む、請求項６に記載の方法。
【請求項８】
ＣＯＭＰ伝送に基づく無線通信システムの同期化されない基地局で伝搬遅延を制御するのを支援する方法であって、前記同期化されない基地局に対応する同期はずれ情報が０より大きい時に、前記方法は、
−前記同期はずれ情報の長さに対応する先頭データ・ブロックをクリッピングされた、伝送されるべきダウンリンク・データを移動局に送信するステップ
を含む、方法。
【請求項９】
ＣＯＭＰ伝送に基づく無線通信システムの同期化されない基地局で伝搬遅延を制御するのを支援する方法であって、前記同期化されない基地局に対応する同期はずれ情報が０より小さい時に、前記方法は、
−前記同期はずれ情報の長さだけ伝送開始の瞬間を延期し、前記同期はずれ情報の前記長さに対応する末尾データ・ブロックをクリッピングされた、伝送されるべきダウンリンク・データを移動局に送信するステップ
を含む、方法。
【請求項１０】
ＣＯＭＰ伝送に基づく無線通信システムの基地局で伝搬遅延を制御する制御デバイスであって、前記制御デバイスは、ダウンリンク・データを移動局に送信する時に、１つまたは複数の他の同期化されない基地局のデータの一部分を処理し、同時に１つまたは複数の特定のタイム・スロットでデータの前記処理された一部分を前記移動局に送信するのに使用される、制御デバイス。
【請求項１１】
前記基地局が同期化された基地局である時に、前記制御デバイスは、
それぞれ前記１つまたは複数の他の同期化されない基地局からＸ２インターフェースを介して１つまたは複数のバックホール・メッセージを受信する第１受信手段と、
前記１つまたは複数のバックホール・メッセージのそれぞれ内の同期はずれ情報がそれぞれ０より大きいかどうかを判定する第１判定手段と、
同期化されない基地局に対応する同期はずれ情報が０より大きい場合に、前記移動局にダウンリンク・データを送信する時に、前記同期化されない基地局によって送信されたダウンリンク・データ内の前記同期はずれ情報の長さに対応する先頭データ・ブロックを処理し、同時に特定のタイム・スロットで前記処理された先頭データ・ブロックを前記移動局に送信する第１送信手段と
をさらに含み、前記特定のタイム・スロットは、ダウンリンク信号を送信するために前記同期化された基地局によって占有されるタイム・スロット内で、前記同期はずれ情報の前記長さだけ続く、開始タイム・スロットであり、
前記第１送信手段は、同期化されない基地局に対応する同期はずれ情報が０より小さい場合に、前記移動局にダウンリンク・データを送信する時に、前記同期化されない基地局によって送信されるダウンリンク・データ内の前記同期はずれ情報の長さに対応する末尾データ・ブロックを処理し、同時に特定のタイム・スロットで前記処理された末尾データ・ブロックを前記移動局に送信するのにさらに使用され、
前記特定のタイム・スロットは、ダウンリンク信号を送信するために前記同期化された基地局によって占有されるタイム・スロット内で、前記同期はずれ情報の前記長さだけ続く、最終タイム・スロットである
請求項１０に記載の制御デバイス。
【請求項１２】
前記基地局が、同期化されない基地局であり、前記同期化されない基地局に対応する同期はずれ情報が、０より大きい時に、前記制御デバイスは、
それぞれ１つまたは複数の他の同期化されない基地局からＸ２インターフェースを介して１つまたは複数のバックホール・メッセージを受信する第２受信手段と、
前記１つまたは複数のバックホール・メッセージのそれぞれ内の同期はずれ情報が０より小さいかどうかを判定する第２判定手段と、
他の同期化されない基地局に対応する同期はずれ情報が０より小さい場合に、ダウンリンク・データを前記移動局に送信する時に、前記他の同期化されない基地局によって送信されたダウンリンク・データ内の前記同期はずれ情報の長さに対応する末尾データ・ブロックを処理し、特定のタイム・スロットで前記処理された末尾データ・ブロックを前記移動局に送信する第２送信手段と
を含み、前記特定のタイム・スロットは、ダウンリンク信号を送信するために前記同期化されない基地局によって占有されるタイム・スロット内で、前記同期はずれ情報の前記長さだけ続く、最終タイム・スロットである
請求項１０に記載の制御デバイス。
【請求項１３】
前記基地局が、同期化されない基地局であり、前記同期化されない基地局に対応する同期はずれ情報が、０より小さい時に、前記制御デバイスは、
それぞれ前記１つまたは複数の他の同期化されない基地局からＸ２インターフェースを介して１つまたは複数のバックホール・メッセージを受信する第３受信手段と、
前記１つまたは複数のバックホール・メッセージのそれぞれ内の同期はずれ情報がそれぞれ０より大きいかどうかを判定する第３判定手段と、
他の同期化されない基地局に対応する同期はずれ情報が０より大きい場合に、ダウンリンク・データを前記移動局に送信する時に、前記他の同期化されない基地局によって送信されたダウンリンク・データ内の前記同期はずれ情報の長さに対応する先頭データ・ブロックを処理し、特定のタイム・スロットで前記処理された先頭データ・ブロックを前記移動局に送信する第３送信手段と
を含み、前記特定のタイム・スロットは、ダウンリンク信号を送信するために前記同期化されない基地局によって占有されるタイム・スロット内で、前記同期はずれ情報の前記長さだけ続く、開始タイム・スロットである
請求項１０に記載の制御デバイス。
【請求項１４】
ＣＯＭＰ伝送に基づく無線通信システムの同期化されない基地局で伝搬遅延を制御するのを支援する第１支援制御デバイスであって、前記同期化されない基地局に対応する同期はずれ情報が０より大きい時に、前記第１支援制御デバイスは、
前記同期はずれ情報の長さに対応する先頭データ・ブロックをクリッピングされた、伝送されるべきダウンリンク・データを移動局に送信する第４送信手段
を含む、第１支援制御デバイス。
【請求項１５】
ＣＯＭＰ伝送に基づく無線通信システムの同期化されない基地局で伝搬遅延を制御するのを支援する第２支援制御デバイスであって、前記同期化されない基地局に対応する同期はずれ情報が０より小さい時に、前記第２支援制御デバイスは、
前記同期はずれ情報の長さだけ伝送開始の瞬間を延期し、前記同期はずれ情報の前記長さに対応する末尾データ・ブロックをクリッピングされた、伝送されるべきダウンリンク・データを移動局に送信する第５送信手段
を含む、第２支援制御デバイス。
【発明の詳細な説明】
【技術分野】
【０００１】
本発明は、無線通信システムでのＣＯＭＰ（Ｃｏｏｒｄｉｎａｔｅｄ  Ｍｕｌｔｉ−Ｐｏｉｎｔ）伝送、特にＣＯＭＰ伝送でのコヒーレント伝送に関する。
【背景技術】
【０００２】
単一セルのマルチパス伝送を考慮すると、受信器のビット誤り率性能に対する影響は、２つのＣＯＭＰセルの間の伝搬遅延がＣＰ（Ｃｙｃｌｉｃ  Ｐｒｅｆｉｘ）長未満である場合であっても、許容できないものである。
【０００３】
さらに、受信器のビット誤り率性能に対する伝搬遅延の影響は、伝送の形に結び付く。同一の伝搬遅延について、非コヒーレント伝送を採用する受信器のビット誤り率性能は、コヒーレント伝送を採用する受信器のビット誤り率性能よりよい。コヒーレント伝送および非コヒーレント伝送について、伝搬遅延がＣＰ未満である時の受信器のビット誤り率性能は、伝搬遅延がＣＰを超える時の受信器のビット誤り率性能よりよい。
【０００４】
ＣＯＭＰセルの間のＤＬ（ダウンリンク）コヒーレント伝送は、非コヒーレント伝送より高い利得を得ることができる。しかし、ＤＬコヒーレント伝送の性能は、伝搬遅延に起因して大幅に劣化し、コヒーレント伝送の性能は、伝搬遅延が大きい時に非コヒーレント伝送の性能と同等になりさえする。
【０００５】
図１に、従来技術によるＤＬコヒーレント伝送での３つのＢＳ（基地局）の異なる伝搬遅延に起因する非同期の結果の問題の概略図を示す。図１の左右の破線の間の領域は、ＭＳ  ２’（移動局）の検出ウィンドウを示す。３つのＢＳ  １１’、１２’、および１３’は、ＧＰＳ（全地球測位システム）同期化を達成し、ＭＳ  ２’に同時にＤＬデータを送信する。ＭＳ  ２’およびＢＳ  １１’は、同期化を達成する、すなわち、ＢＳ  １１’によって送信されたＤＬデータは、完全にＭＳ  ２’の検出ウィンドウ内で検出される。ＢＳ  １２’からＭＳ  ２’までの距離はＢＳ  １１’からＭＳ  ２’までの距離より遠いが、ＢＳ  １３’からＭＳ  ２’までの距離はＢＳ  １１’からＭＳ  ２’までの距離より近いので、ＭＳ  ２’は、伝搬遅延の問題に起因して、その検出ウィンドウ内でそれぞれＢＳ  １２’およびＢＳ  １３’からのデータの一部分しか検出できない。図１に示されているように、ＢＳ  １２’の末尾データの一部分は、ＭＳ  ２’の検出ウィンドウの外に含まれ、ＢＳ  １３’の先頭データの一部分は、ＭＳ  ２’の検出ウィンドウの外に含まれる。ＢＳ  １２’およびＢＳ  １３’がそれぞれＭＳ  ２’に送信するＤＬデータ内の、ＭＳ  ２’の検出ウィンドウの外に含まれるデータの長さが、ＣＰより長い場合には、ＭＳ  ２’の受信性能は、大幅に劣化する。
【０００６】
前述の問題について、従来技術には次の２つの解決策がある。
１）より大きい伝搬遅延を許容するためにＣＰの長さを増やす
２）コヒーレント伝送を非コヒーレント伝送に置換する
【０００７】
しかし、第１の解決策について、システム効率は、ＣＰの長さの増加に起因して大幅に低下する。さらに、伝搬遅延がそれでもＣＰの長さより大きい場合には、受信器のビット誤り率性能が、それでも大きく影響を受ける。
【０００８】
第２の解決策について、これは、コヒーレント伝送が非コヒーレント伝送に置換されるという事実に起因して、コヒーレント伝送からの利得が放棄されることを意味する。
【発明の概要】
【課題を解決するための手段】
【０００９】
従来技術の前述の不利益を解決するために、本発明は、ＣＯＭＰ伝送に基づく無線通信システムの基地局で伝搬遅延を制御する方法およびデバイスを提案する。具体的に言うと、ダウンリンク・データをＭＳに送信する時に、ＢＳは、１つまたは複数の他の同期化されない基地局のデータの一部分を処理し、同時に、１つまたは複数の特定のタイム・スロットでデータの処理された一部分をＭＳに送信する。
【００１０】
本発明の第１の態様によれば、ＣＯＭＰ伝送に基づく無線通信システムの基地局で伝搬遅延を制御する方法であって、ダウンリンク・データを移動局に送信する時に、１つまたは複数の他の同期化されない基地局のデータの一部分を処理するステップと、同時に１つまたは複数の特定のタイム・スロットでデータの処理された一部分を移動局に送信するステップとを含む方法が提供される。
【００１１】
本発明の第２の態様によれば、ＣＯＭＰ伝送に基づく無線通信システムの同期化されない基地局で伝搬遅延を制御するのを支援する方法であって、同期化されない基地局に対応する同期はずれ情報が０より大きい時に、方法は、同期はずれ情報の長さに対応する先頭データ・ブロックをクリッピングされた、伝送されるべきダウンリンク・データを移動局に送信するステップを含む、方法が提供される。
【００１２】
本発明の第３の態様によれば、ＣＯＭＰ伝送に基づく無線通信システムの同期化されない基地局で伝搬遅延を制御するのを支援する方法であって、同期化されない基地局に対応する同期はずれ情報が０より小さい時に、方法は、同期はずれ情報の長さだけ伝送開始の瞬間を延期し、同期はずれ情報の前記長さに対応する末尾データ・ブロックをクリッピングされた、伝送されるべきダウンリンク・データを移動局に送信するステップを含む、方法が提供される。
【００１３】
本発明の第４の態様によれば、ＣＯＭＰ伝送に基づく無線通信システムの基地局で伝搬遅延を制御する制御デバイスであって、制御デバイスは、ダウンリンク・データを移動局に送信する時に、１つまたは複数の他の同期化されない基地局のデータの一部分を処理し、同時に１つまたは複数の特定のタイム・スロットでデータの処理された一部分を移動局に送信するのに使用される、制御デバイスが提供される。
【００１４】
本発明の第５の態様によれば、ＣＯＭＰ伝送に基づく無線通信システムの同期化されない基地局で伝搬遅延を制御するのを支援する第１支援制御デバイスであって、同期化されない基地局に対応する同期はずれ情報が０より大きい時に、第１支援制御デバイスは、同期はずれ情報の長さに対応する先頭データ・ブロックをクリッピングされた、伝送されるべきダウンリンク・データを移動局に送信する第４送信手段を含む、第１支援制御デバイスが提供される。
【００１５】
本発明の第６の態様によれば、ＣＯＭＰ伝送に基づく無線通信システムの同期化されない基地局で伝搬遅延を制御するのを支援する第２支援制御デバイスであって、同期化されない基地局に対応する同期はずれ情報が０より小さい時に、第２支援制御デバイスは、同期はずれ情報の長さだけ伝送開始の瞬間を延期し、同期はずれ情報の前記長さに対応する末尾データ・ブロックをクリッピングされた、伝送されるべきダウンリンク・データを移動局に送信する第５送信手段を含む、第２支援制御デバイスが提供される。
【００１６】
本発明では、同期はずれ情報の長さに対応する、同期化されない基地局のデータが、同期化された基地局または他の同期化されない基地局を介して特定のタイム・スロットで移動局に送信されるので、同期化されない基地局によって移動局に送信されるＤＬデータはすべて、その移動局の検出ウィンドウ内に含まれ、伝搬遅延に起因する受信器の劣化した性能という結果の問題が解決されるようになる。
【００１７】
次の図面を参照して非限定的な実施形態の詳細な説明を読むことによって、本発明の他の特徴、目的、および利益が明白になるであろう。
【図面の簡単な説明】
【００１８】
【図１】従来技術によるＤＬコヒーレント伝送での３つのＢＳの異なる伝搬遅延に起因する非同期の結果の問題を示す概略図である。
【図２】ＤＬコヒーレント伝送に基づくＣＯＭＰ伝送システムのネットワークを示す概略図である。
【図３】本発明の一実施形態による、ダウンリンク・データをＭＳに送信する時の、１つまたは複数の他の同期化されないＢＳのデータの一部分を処理し、同時に１つまたは複数の特定のタイム・スロットでデータの処理された一部分をＭＳに送信する、同期化されたＢＳの方法を示す流れ図である。
【図４】本発明の一実施形態による、ダウンリンク・データをＭＳに送信する時の、１つまたは複数の他の同期化されないＢＳのデータの一部分を処理し、同時に１つまたは複数の特定のタイム・スロットでデータの処理された一部分をＭＳに送信する、同期化されたＢＳを示す概略図である。
【図５】本発明のもう１つの実施形態による、ダウンリンク・データをＭＳに送信する時の、１つまたは複数の他の同期化されないＢＳのデータの一部分を処理し、同時に１つまたは複数の特定のタイム・スロットでデータの処理された一部分をＭＳに送信する、同期化されないＢＳを示す概略図である。
【図６】本発明のもう１つの実施形態による、伝搬遅延の制御を示す概略図である。
【図７】本発明の一実施形態による、ダウンリンク・データをＭＳに送信する時の、１つまたは複数の他の同期化されないＢＳのデータの一部分を処理し、同時に１つまたは複数の特定のタイム・スロットでデータの処理された一部分をＭＳに送信する、同期化されたＢＳ内の制御デバイスの構造を示すブロック図である。
【発明を実施するための形態】
【００１９】
図面では、同一のまたは同様の符号が、同一のまたは同様のコンポーネントを指す。
【００２０】
ＤＬコヒーレント伝送に基づくＣＯＭＰ伝送システムでは、複数のＢＳが１つのＭＳのために働く。複数のＢＳのそれぞれからＭＳまでの伝送距離は異なるので、これが、各ＢＳからＭＳまでの異なるＤＬ伝搬遅延を引き起こす。ＭＳが、複数のＢＳのうちの１つとの同期を確立する時に、同期化されたＢＳによってＭＳに送信されるＤＬデータは、完全にそのＭＳの検出ウィンドウ内に含まれるが、他の同期化されないＢＳによってＭＳに送信されるＤＬデータの一部分は、伝搬遅延に起因してそのＭＳの検出ウィンドウの外に含まれ、その結果、そのＭＳの受信性能が劣化する。
【００２１】
これに基づいて、ＤＬデータをＭＳに送信する時に、同期化されたＢＳは、１つまたは複数の他の同期化されないＢＳのデータの一部分を処理し、同時に１つまたは複数の特定のタイム・スロットでデータの処理された一部分をＭＳに送信することができ、その結果、１つまたは複数の他の同期化されないＢＳによってＭＳに送信されるＤＬデータはすべて、そのＭＳの検出ウィンドウ内に含まれるようになる。確かに、ＤＬデータをＭＳに送信する時に、同期化されないＢＳも、１つまたは複数の他の同期化されないＢＳのデータの一部分を処理し、同時に１つまたは複数の特定のタイム・スロットでデータの処理された一部分をＭＳに送信することができる。
【００２２】
以下では、図面を参照して、２つのシナリオをそれぞれ説明する。
【００２３】
図２に、ＤＬコヒーレント伝送に基づくＣＯＭＰ伝送システムのネットワークの概略図を示す。ＢＳ  １１、ＢＳ  １２、ＢＳ  １３、およびＭＳ  ２が、図２に示されている。ここで、ＢＳ  １１、ＢＳ  １２、およびＢＳ  １３は、ＧＰＳの同期化を達成し、同時にＤＬデータをＭＳ  ２に送信する。ＭＳ  ２およびＢＳ  １１は、同期化を達成し、同期化されたＢＳ  １１によってＭＳ  ２に送信されたＤＬデータは、完全にＭＳ  ２の検出ウィンドウ内に含まれる。同期化されないＢＳ  １２からＭＳ  ２までの伝搬距離は、同期化されたＢＳ  １１からＭＳ  ２までの伝搬距離より長く、同期化されないＢＳ  １２によってＭＳ  ２に送信されたＤＬデータ内の末尾データの一部分は、伝搬遅延に起因してＭＳ２の検出ウィンドウの外に含まれる。同期化されないＢＳ  １３からＭＳ  ２までの伝搬距離は、同期化されたＢＳ  １１からＭＳ  ２までの伝搬距離より短く、同期化されないＢＳ  １３によってＭＳ  ２に送信されたＤＬデータ内の先頭データの一部分は、伝搬遅延に起因してＭＳ  ２の検出ウィンドウの外に含まれる。
【００２４】
本発明を、ＤＬコヒーレント伝送に基づくＣＯＭＰ伝送システムが同時に１つのＭＳのために働く３つのＢＳを含むことを例としてとりあげることによって説明するが、当業者が、本発明のＤＬコヒーレント伝送に基づくＣＯＭＰ伝送システム内のＢＳの個数が３つに限定されないことを理解することに留意されたい。
【００２５】
図２に示されたＤＬコヒーレント伝送に基づくＣＯＭＰ伝送システムでは、同期化されたＢＳ  １１、同期化されないＢＳ  １２、および同期化されないＢＳ  １３は、この３つのＢＳがＭＳ  ２へＤＬデータの送信を開始する前にＸ２インターフェースを介するデータおよびシグナリングのバックホールを実行し、したがって、この３つのＢＳのいずれか１つが、他のＢＳからＭＳ  ２への、伝送されるべきＤＬデータ、チャネル伝送行列（ｃｈａｎｎｅｌ  ｔｒａｎｓｍｉｓｓｉｏｎ  ｍａｔｒｉｘ）Ｈ、および同期はずれ情報（すなわち、他のＢＳからＭＳ  ２までの伝搬遅延）を知る。具体的に言うと、同期化されたＢＳ  １１は、それぞれ同期化されないＢＳ  １２および同期化されないＢＳ  １３からバックホール情報を受信する。ここで、同期化されたＢＳ  １１によって同期化されないＢＳ  １２から受信されたバックホール情報は、同期化されないＢＳ  １２からＭＳ  ２へ送信されなければならないＤＬデータと、同期化されないＢＳ  １２からＭＳ  ２までのＤＬチャネルのチャネル伝送行列と、同期化されないＢＳ  １２およびＭＳ  ２の同期はずれ情報すなわち同期化されないＢＳ  １２からＭＳ  ２までの伝搬遅延とを含み、同様に、同期化されたＢＳ  １１によって同期化されないＢＳ  １３から受信されたバックホール情報は、同期化されないＢＳ  １３からＭＳ  ２へ送信されなければならないＤＬデータと、同期化されないＢＳ  １３からＭＳ  ２までのＤＬチャネルのチャネル伝送行列と、同期化されないＢＳ  １３およびＭＳ  ２の同期はずれ情報すなわち同期化されないＢＳ  １３からＭＳ  ２までの伝搬遅延とを含む。
【００２６】
したがって、同期化されないＢＳ  １２も、それぞれ同期化されたＢＳ  １１および同期化されないＢＳ  １３からバックホール情報を受信し、同期化されないＢＳ  １３も、それぞれ同期化されたＢＳ  １１および同期化されないＢＳ  １２からバックホール情報を受信するが、単純にするためにこれを詳細に説明することはしない。
【００２７】
以下では、図２、図３、および図４を参照して、ＭＳ  ２にダウンリンク・データを送信する時に、同期化されたＢＳ  １１が、同期化されないＢＳ  １２および同期化されないＢＳ  １３のデータの一部分を処理し、同時にそれぞれ特定のタイム・スロットでデータの処理された一部分をＭＳ  ２に送信するシナリオを説明する。
【００２８】
図３に、本発明の一実施形態による、ＤＬデータをＭＳ  ２に送信する時の、同期化されないＢＳ  １２および同期化されないＢＳ  １３のデータの一部分を処理し、同時に異なるタイム・スロットでデータの処理された一部分をＭＳ  ２に送信する、同期化されたＢＳ  １１の方法の流れ図を示す。
【００２９】
図４に、本発明の一実施形態による、ＤＬデータをＭＳ  ２に送信する時の、同期化されないＢＳ  １２および同期化されないＢＳ  １３のデータの一部分を処理し、同時に異なるタイム・スロットでデータの処理された一部分をＭＳ  ２に送信する、同期化されたＢＳ  １１の概略図を示す。
【００３０】
図４では、最初の行が、本発明の解決策でＭＳ  ２の検出ウィンドウ内で受信される同期化されたＢＳ  １１からのＤＬデータに対応する。２番目の行の上側部分は、従来技術の解決策でＭＳ  ２の検出ウィンドウ内で受信される同期化されないＢＳ  １２からのＤＬデータに対応し、２番目の行の下側部分は、本発明の解決策でＭＳ  ２の検出ウィンドウ内で受信される同期化されないＢＳ  １２からのＤＬデータに対応する。３番目の行の上側部分は、従来技術の解決策でＭＳ  ２の検出ウィンドウ内で受信される同期化されないＢＳ  １３からのＤＬデータに対応し、３番目の行の下側部分は、本発明の解決策でＭＳ  ２の検出ウィンドウ内で受信される同期化されないＢＳ  １３からのＤＬデータに対応する。
【００３１】
図３に示されているように、まず、ステップＳ１１では、同期化されたＢＳ  １１が、それぞれ、Ｘ２インターフェースを介して同期化されないＢＳ  １２および同期化されないＢＳ  １３からバックホール情報を受信する。ここで、同期化されたＢＳ  １１によって同期化されないＢＳ  １２から受信されるバックホール・メッセージは、同期化されないＢＳ  １２からＭＳ  ２に伝送されなければならないＤＬデータと、同期化されないＢＳ  １２からＭＳ  ２までのＤＬチャネルのチャネル伝送行列と、同期化されないＢＳ  １２およびＭＳ  ２の同期はずれ情報すなわち同期化されないＢＳ  １２からＭＳ  ２までの伝搬遅延とを含み、同期化されたＢＳ  １１によって同期化されないＢＳ  １３から受信されるバックホール・メッセージは、同期化されないＢＳ  １３からＭＳ  ２に伝送されなければならないＤＬデータと、同期化されないＢＳ  １３からＭＳ  ２までのＤＬチャネルのチャネル伝送行列と、同期化されないＢＳ  １３およびＭＳ  ２の同期はずれ情報すなわち同期化されないＢＳ  １３からＭＳ  ２までの伝搬遅延とを含む。
【００３２】
次に、ステップＳ１２で、同期化されたＢＳ  １１は、それぞれ、同期化されないＢＳ  １２および同期化されないＢＳ  １３からのバックホール情報内の同期はずれ情報が０より大きいかどうかを判定する。
【００３３】
ＭＳ  ２および同期化されたＢＳ  １１は、同期化を達成するので、同期化されたＢＳ  １１からＭＳ  ２までの同期はずれ情報は、０と考えられる。同期化されないＢＳ  １２からＭＳ  ２までの伝搬距離は、同期化されたＢＳ  １１からＭＳ  ２までの伝搬距離より長いので、同期化されないＢＳ  １２に対応する同期はずれ情報は、０より大きく、同期化されないＢＳ  １３からＭＳ  ２までの伝搬距離は、同期化されたＢＳ  １１からＭＳ  ２までの伝搬距離より短いので、同期化されないＢＳ  １３に対応する同期はずれ情報は、０より小さい。
【００３４】
同期化されないＢＳ  １２に対応する同期はずれ情報は、０より大きいので、ステップＳ１３で、ＤＬデータをＭＳ  ２に送信する時に、同期化されたＢＳ  １１は、同期化されないＢＳ  １２によって送信されたＤＬデータ内の同期はずれ情報の長さに対応する先頭データ・ブロックを処理し、同時に特定のタイム・スロットで処理された先頭データ・ブロックをＭＳ  ２に送信する。
【００３５】
ここで、特定のタイム・スロットは、ＤＬデータを送信するために同期化された基地局１１によって占有されるタイム・スロット内で、同期はずれ情報の長さだけ続く、開始タイム・スロットである。
【００３６】
したがって、同期化されないＢＳ  １２は、同期はずれ情報の長さに対応する先頭データ・ブロックをクリッピングされた、伝送すべきＤＬデータをＭＳ  ２に送信する。
【００３７】
たとえば、同期化されないＢＳ  １２およびＭＳ  ２の同期はずれ情報が０.１μｓである場合に、ＭＳ  ２にＤＬデータを送信する時に、同期化されたＢＳ  １１は、同期化されないＢＳ  １２によって送信されるＤＬデータ内の０.１μｓの長さに対応する先頭データ・ブロックを処理し、処理された先頭データ・ブロックを、同時にＤＬデータを送信するために０.１μｓの長さの開始タイム・スロットでＭＳ  ２に送信する。
【００３８】
したがって、同期化されないＢＳ  １２は、０．１μｓの長さに対応する先頭データ・ブロックをクリッピングされた、伝送すべきＤＬデータをＭＳ  ２に送信する。
【００３９】
図４から、２番目の行の上側部分が、同期化されないＢＳ  １２とＭＳ  ２との間の０．１μｓなどの伝搬遅延のゆえに、従来技術の解決策でＭＳ  ２の検出ウィンドウ内で受信される同期化されないＢＳ  １２からのＤＬデータに対応し、０．１μｓの長さを有するデータ・ブロック（図４では
【００４０】
【数１】
0005260789.tif 000002
として図示）が、従来技術の解決策ではＭＳ  ２の検出ウィンドウの外に含まれることがわかる。本発明の解決策を使用した後には、同期化されないＢＳ  １２によって送信されるＤＬデータ内の０．１μｓの長さに対応する先頭データ・ブロック（図４では
【００４１】
【数２】
0005260789.tif 000003
として図示）が、同期化されたＢＳ  １１がＤＬデータを送信する時に同時にＤＬデータを送信するために０．１μｓの長さの開始タイム・スロットで、同期化されないＢＳ  １２ではなく同期化されたＢＳ  １１によって送信され、同期化されないＢＳ  １２によってＭＳ  ２に送信されるＤＬデータが、０．１μｓの長さに対応する先頭データ・ブロックをクリッピングされたＤＬデータである。したがって、２番目の行の下側部分の本発明の解決策から、ＭＳ  ２によって同期化されないＢＳ  １２から受信されるＤＬデータ（すなわち、０．１μｓの長さに対応する先頭データ・ブロックをクリッピングされたＤＬデータ）が、完全にＭＳ  ２の検出ウィンドウ内に含まれることがわかる。また、同期化されないＢＳ  １２ではなく同期化されたＢＳ  １１によって送信される先頭データ・ブロックは、ＭＳ  ２の検出ウィンドウ内に含まれ、この先頭データ・ブロックは、図４の最初の行に対応する
【００４２】
【数３】
0005260789.tif 000004
によって示される。
【００４３】
さらに、前述の処理は、伝送すべき先頭データ・ブロックに、同期化されないＢＳ  １２からＭＳ  ２までのＤＬチャネルのチャネル伝送行列および同期化されないＢＳ  １２のプリコーディング行列ならびに同期化されたＢＳ  １１からＭＳ  ２までのＤＬチャネルのチャネル伝送行列の逆行列および同期化されたＢＳ  １１のプリコーディング行列の逆行列を乗算することである。
【００４４】
具体的に言うと、同期化されないＢＳ  １２の伝送すべきＤＬデータがＳ２であり、同期化されないＢＳ  １２ではなく同期化されたＢＳ  １１によって送信される先頭データ・ブロックがＳ２１であると仮定すると、残りのデータ・ブロックは、Ｓ２２であり、Ｓ２＝Ｓ２１＋Ｓ２２である。
【００４５】
同期化されないＢＳ  １２の先頭データ・ブロックＳ２１をＭＳ  ２に送信する前に、同期化されたＢＳ  １１は、まず、先頭データ・ブロックＳ２１を処理する、すなわち、先頭データ・ブロックＳ２１は、Ｆ１−１Ｈ１−１Ｈ２Ｆ２Ｓ２１に変換され、ここで、Ｆ１−１は、同期化されたＢＳ  １１のプリコーディング行列の逆行列であり、Ｈ１−１は、同期化されたＢＳ  １１からＭＳ  ２までのＤＬチャネルのチャネル伝送行列の逆行列であり、Ｈ２は、同期化されないＢＳ  １２からＭＳ  ２までのＤＬチャネルのチャネル伝送行列であり、Ｆ２は、同期化されないＢＳ  １２のプリコーディング行列である。
【００４６】
同期化されたＢＳ  １１が、処理された先頭データ・ブロックＦ１−１Ｈ１−１Ｈ２Ｆ２Ｓ２１をＭＳ  ２に送信し、同期化されないＢＳ  １２が、先頭データ・ブロックをクリッピングされた残りのデータＳ２２をＭＳ  ２に送信するので、ＭＳ  ２について、ＭＳ  ２の受信されるデータは、ｙ２＝Ｈ１Ｆ１Ｆ１−１Ｈ１−１Ｈ２Ｆ２Ｓ２１＋Ｈ２Ｆ２Ｓ２２＝Ｈ２Ｆ２Ｓ２すなわち、同期化されないＢＳ  １２に属するＤＬデータのすべてである。
【００４７】
ここで、伝送ダイバーシティという伝送の形がＢＳとＭＳとの間で使用される場合には、同期化されたＢＳ  １１が、それ自体のＤＬデータを送信するのにアンテナを使用することによって同期化されないＢＳ  １２の処理された先頭データ・ブロックを送信することができるが、空間多重化という伝送の形がＢＳとＭＳとの間で使用される場合には、同期化されたＢＳ  １１が、同期化されないＢＳ  １２の処理された先頭データ・ブロックを伝送するのに余分な伝送アンテナを使用しなければならないことに留意されたい。
【００４８】
同様に、同期化されないＢＳ  １３に対応する同期はずれ情報は０より小さいので、ステップＳ１４で、ＤＬデータをＭＳ  ２に送信する時に、同期化されたＢＳ  １１は、同期化されないＢＳ  １３によって送信されたＤＬデータ内の同期はずれ情報の長さに対応する末尾データ・ブロックを処理し、同時に特定のタイム・スロットで処理された末尾データ・ブロックをＭＳ  ２に送信する。
【００４９】
ここで、特定のタイム・スロットは、ＤＬ信号を送信するために同期化された基地局１１によって占有されるタイム・スロット内で、同期はずれ情報の長さだけ続く、最終タイム・スロットである。
【００５０】
したがって、同期化されないＢＳ  １３は、同期はずれ情報の長さだけ伝送開始の瞬間を延期し、その後、同期はずれ情報の長さに対応する末尾データ・ブロックをクリッピングされた、伝送すべきＤＬデータをＭＳ  ２に送信する。
【００５１】
たとえば、同期化されないＢＳ  １３およびＭＳ  ２の同期はずれ情報が−０.１μｓである場合に、ＭＳ  ２にＤＬデータを送信する時に、同期化されたＢＳ  １１は、同期化されないＢＳ  １３によって送信されるＤＬデータ内の０.１μｓの長さに対応する末尾データ・ブロックを処理し、処理された末尾データ・ブロックを、同時にＤＬデータを送信するために０.１μｓの長さの最終タイム・スロットでＭＳ  ２に送信する。
【００５２】
したがって、同期化されないＢＳ  １３は、０．１μｓの長さだけ伝送開始の瞬間を延期し、その後、０．１μｓの長さに対応する末尾データ・ブロックをクリッピングされた、伝送すべきＤＬデータをＭＳ  ２に送信する。
【００５３】
図４から、３番目の行の上側部分が、同期化されないＢＳ  １３とＭＳ  ２との間の−０．１μｓなどの伝搬遅延のゆえに、従来技術の解決策でＭＳ  ２の検出ウィンドウ内で受信される同期化されないＢＳ  １３からのＤＬデータに対応し、０．１μｓの長さを有するデータ・ブロック（図４では
【００５４】
【数４】
0005260789.tif 000005
として図示）が、従来技術の解決策ではＭＳ  ２の検出ウィンドウの外に含まれることがわかる。本発明の解決策を使用した後には、同期化されないＢＳ  １３によって送信されるＤＬデータ内の０．１μｓの長さに対応する末尾データ・ブロック（図４では
【００５５】
【数５】
0005260789.tif 000006
として図示）が、同期化されたＢＳ  １１がＤＬデータを送信する時に同時にＤＬデータを送信するために０．１μｓの長さの最終タイム・スロットで同期化されないＢＳ  １３ではなく同期化されたＢＳ  １１によって送信され、同期化されないＢＳ  １３は、０．１μｓの長さだけ伝送開始の瞬間を延期し、その後、０．１μｓの長さに対応する末尾データ・ブロックをクリッピングされた伝送されるべきＤＬデータをＭＳ  ２に送信するので。したがって、３番目の行の下側部分の本発明の解決策から、ＭＳ  ２によって同期化されないＢＳ  １３から受信されるＤＬデータ（すなわち、０．１μｓの長さに対応する末尾データ・ブロックをクリッピングされたＤＬデータ）が、完全にＭＳ  ２の検出ウィンドウ内に含まれることがわかる。また、同期化されないＢＳ  １３ではなく同期化されたＢＳ  １１によって送信される末尾データ・ブロックは、ＭＳ  ２の検出ウィンドウ内に含まれ、この末尾データ・ブロックは、図４の最初の行に対応する
【００５６】
【数６】
0005260789.tif 000007
によって示される。
【００５７】
さらに、前述の処理は、伝送すべき末尾データ・ブロックに、同期化されないＢＳ  １３からＭＳ  ２までのＤＬチャネルのチャネル伝送行列および同期化されないＢＳ  １３のプリコーディング行列ならびに同期化されたＢＳ  １１からＭＳ  ２までのＤＬチャネルのチャネル伝送行列の逆行列および同期化されたＢＳ  １１のプリコーディング行列の逆行列を乗算することである。
【００５８】
具体的に言うと、同期化されないＢＳ  １３の伝送すべきＤＬデータがＳ３であり、同期化されないＢＳ  １３ではなく同期化されたＢＳ  １１によって送信される末尾データ・ブロックがＳ３１であると仮定すると、残りのデータ・ブロックは、Ｓ３２であり、Ｓ３＝Ｓ３１＋Ｓ３２である。
【００５９】
同期化されないＢＳ  １３の末尾データ・ブロックＳ３１をＭＳ  ２に送信する前に、同期化されたＢＳ  １１は、まず、末尾データ・ブロックＳ３１を処理する、すなわち、末尾データ・ブロックＳ３１は、Ｆ１−１Ｈ１−１Ｈ３Ｆ３Ｓ３１に変換され、ここで、Ｆ１−１は、同期化されたＢＳ  １１のプリコーディング行列の逆行列であり、Ｈ１−１は、同期化されたＢＳ  １１からＭＳ  ２までのＤＬチャネルのチャネル伝送行列の逆行列であり、Ｈ３は、同期化されないＢＳ  １３からＭＳ  ２までのＤＬチャネルのチャネル伝送行列であり、Ｆ３は、同期化されないＢＳ  １３のプリコーディング行列である。
【００６０】
同期化されたＢＳ  １１が、処理された末尾データ・ブロックＦ１−１Ｈ１−１Ｈ３Ｆ３Ｓ３１をＭＳ  ２に送信し、同期化されないＢＳ  １３が、末尾データ・ブロックをクリッピングされた残りのデータＳ３２をＭＳ  ２に送信するので、ＭＳ  ２について、ＭＳ  ２の受信されるデータは、ｙ３＝Ｈ１Ｆ１Ｆ１−１Ｈ１−１Ｈ３Ｆ３Ｓ３１＋Ｈ３Ｆ３Ｓ３２＝Ｈ３Ｆ３Ｓ３すなわち、同期化されないＢＳ  １３に属するＤＬデータのすべてである。
【００６１】
ここで、伝送ダイバーシティという伝送の形がＢＳとＭＳとの間で使用される場合には、同期化されたＢＳ  １１が、それ自体のＤＬデータを送信するのにアンテナを使用することによって同期化されないＢＳ  １３の処理された末尾データ・ブロックを送信することができるが、空間多重化という伝送の形がＢＳとＭＳとの間で使用される場合には、同期化されたＢＳ  １１が、同期化されないＢＳ  １３の処理された末尾データ・ブロックを伝送するのに余分な伝送アンテナを使用しなければならないことに留意されたい。
【００６２】
上では、ダウンリンク・データをＭＳ  ２に送信する時に、同期化されたＢＳ  １１が、同期化されないＢＳ  １２のデータの一部分を処理し、同時にそれぞれ特定のタイム・スロットでデータの処理された一部分をＭＳ  ２に送信するシナリオが説明されている。
【００６３】
下では、図２および図５を参照して、ＤＬデータをＭＳ  ２に送信する時に、同期化されないＢＳ  １２が、同期化されないＢＳ  １３のデータの一部分を処理し、同時に特定のタイム・スロットで同期化されないＢＳ  １３のデータの処理された一部分をＭＳ  ２に送信し、ＤＬデータをＭＳ  ２に送信する時に、同期化されないＢＳ  １３が、同期化されないＢＳ  １２のデータの一部分を処理し、同時に特定のタイム・スロットで同期化されないＢＳ  １２のデータの処理された一部分をＭＳ  ２に送信するシナリオを説明する。
【００６４】
図５に、ＤＬデータをＭＳに送信する時の、同期化されないＢＳ  １３のデータの一部分を処理し、同時に特定のタイム・スロットで同期化されないＢＳ  １３のデータの処理された一部分をＭＳ  ２に送信する、同期化されないＢＳ１２と、ＤＬデータをＭＳ  ２に送信する時の、同期化されないＢＳ  １２のデータの一部分を処理し、同時に特定のタイム・スロットで同期化されないＢＳ  １２のデータの処理された一部分をＭＳ  ２に送信する、同期化されないＢＳ１３との概略図を示す。
【００６５】
図５では、最初の行が、本発明の解決策でＭＳ  ２の検出ウィンドウ内で受信される同期化されたＢＳ  １１からのＤＬデータに対応する。２番目の行の上側部分は、従来技術の解決策でＭＳ  ２の検出ウィンドウ内で受信される同期化されないＢＳ  １２からのＤＬデータに対応し、２番目の行の下側部分は、本発明の解決策でＭＳ  ２の検出ウィンドウ内で受信される同期化されないＢＳ  １２からのＤＬデータに対応する。３番目の行の上側部分は、従来技術の解決策でＭＳ  ２の検出ウィンドウ内で受信される同期化されないＢＳ  １３からのＤＬデータに対応し、３番目の行の下側部分は、本発明の解決策でＭＳ  ２の検出ウィンドウ内で受信される同期化されないＢＳ  １３からのＤＬデータに対応する。
【００６６】
同期化されないＢＳ  １２について、まず、同期化されないＢＳ  １２は、Ｘ２インターフェースを介して同期化されないＢＳ  １３からバックホール情報を受信する。ここで、同期化されないＢＳ  １２によって同期化されないＢＳ  １３から受信されるバックホール・メッセージは、同期化されないＢＳ  １３からＭＳ  ２に伝送されなければならないＤＬデータと、同期化されないＢＳ  １３からＭＳ  ２までのＤＬチャネルのチャネル伝送行列と、同期化されないＢＳ  １３およびＭＳ  ２の同期はずれ情報すなわち同期化されないＢＳ  １３からＭＳ  ２までの伝搬遅延とを含む。
【００６７】
次に、同期化されないＢＳ  １２は、同期化されないＢＳ  １３からのバックホール情報内の同期はずれ情報が０より大きいかどうかを判定する。
【００６８】
同期化されないＢＳ  １３からＭＳ  ２までの伝搬距離は、同期化されたＢＳ  １１からＭＳ  ２までの伝搬距離より短いので、同期化されないＢＳ  １３に対応する同期はずれ情報は、０より小さい。
【００６９】
同期化されないＢＳ  １３に対応する同期はずれ情報が０より小さいので、ＤＬデータをＭＳ  ２に送信する時に、同期化されないＢＳ  １２は、同期化されないＢＳ  １３によって送信されたＤＬデータ内の同期はずれ情報の長さに対応する末尾データ・ブロックを処理し、同時に特定のタイム・スロットで処理された末尾データ・ブロックをＭＳ  ２に送信する。
【００７０】
ここで、特定のタイム・スロットは、ＤＬデータを送信するために同期化されないＢＳ  １２によって占有されるタイム・スロット内で、同期はずれ情報の長さだけ続く、最終タイム・スロットである。
【００７１】
したがって、同期化されないＢＳ  １３は、同期はずれ情報の長さだけ伝送開始の瞬間を延期し、同期はずれ情報の長さに対応する末尾データ・ブロックをクリッピングされた、伝送すべきＤＬデータをＭＳ  ２に送信する。
【００７２】
たとえば、同期化されないＢＳ  １３およびＭＳ  ２の同期はずれ情報が−０.１μｓである場合に、ＭＳ  ２にＤＬデータを送信する時に、同期化されないＢＳ  １２は、同期化されないＢＳ  １３によって送信されるＤＬデータ内の０.１μｓの長さに対応する末尾データ・ブロックを処理し、処理された末尾データ・ブロックを、同時にＤＬデータを送信するために０.１μｓの長さの最終タイム・スロットでＭＳ  ２に送信する。
【００７３】
したがって、同期化されないＢＳ  １３は、０．１μｓの長さだけ伝送開始の瞬間を延期し、その後、０．１μｓの長さに対応する末尾データ・ブロックをクリッピングされた、伝送すべきＤＬデータをＭＳ  ２に送信する。
【００７４】
図５から、３番目の行の上側部分が、同期化されないＢＳ  １３とＭＳ  ２との間の−０．１μｓなどの伝搬遅延のゆえに、従来技術の解決策でＭＳ  ２の検出ウィンドウ内で受信される同期化されないＢＳ  １３からのＤＬデータに対応し、０．１μｓの長さを有するデータ・ブロック（図５では
【００７５】
【数７】
0005260789.tif 000008
として図示）が、従来技術の解決策ではＭＳ  ２の検出ウィンドウの外に含まれることがわかる。本発明の解決策を使用した後には、同期化されないＢＳ  １３によって送信されるＤＬデータ内の０．１μｓの長さに対応する末尾データ・ブロック（図５では
【００７６】
【数８】
0005260789.tif 000009
として図示）が、同期化されないＢＳ  １２がＤＬデータを送信する時に同時にＤＬデータを送信するために０．１μｓの長さの最終タイム・スロットで同期化されないＢＳ  １３ではなく同期化されないＢＳ  １２によって送信され、同期化されないＢＳ  １３は、０．１μｓの長さだけ伝送開始の瞬間を延期し、その後、０．１μｓの長さに対応する末尾データ・ブロックをクリッピングされた伝送されるべきＤＬデータをＭＳ  ２に送信する。したがって、３番目の行の下側部分の本発明の解決策から、ＭＳ  ２によって同期化されないＢＳ  １３から受信されるＤＬデータ（すなわち、０．１μｓの長さに対応する末尾データ・ブロックをクリッピングされたＤＬデータ）が、完全にＭＳ  ２の検出ウィンドウ内に含まれることがわかる。また、同期化されないＢＳ  １３ではなく同期化されないＢＳ  １２によって送信される末尾データ・ブロックは、ＭＳ  ２の検出ウィンドウ内に含まれ、この末尾データ・ブロックは、図５の２番目の行の下側部分に対応する
【００７７】
【数９】
0005260789.tif 000010
によって示される。
【００７８】
さらに、前述の処理は、同期化されないＢＳ  １２が、伝送すべき末尾データ・ブロックに、同期化されないＢＳ  １３からＭＳ  ２までのＤＬチャネルのチャネル伝送行列および同期化されないＢＳ  １３のプリコーディング行列ならびに同期化されないＢＳ  １２からＭＳ  ２までのＤＬチャネルのチャネル伝送行列の逆行列および同期化されないＢＳ  １２のプリコーディング行列の逆行列を乗算することである。
【００７９】
具体的に言うと、同期化されないＢＳ  １３の伝送すべきＤＬデータがＳ３であり、同期化されないＢＳ  １３ではなく同期化されないＢＳ  １２によって送信される末尾データ・ブロックがＳ３１であると仮定すると、残りのデータ・ブロックは、Ｓ３２であり、Ｓ３＝Ｓ３１＋Ｓ３２である。
【００８０】
同期化されないＢＳ  １３の末尾データ・ブロックＳ３１をＭＳ  ２に送信する前に、同期化されないＢＳ  １２は、まず、末尾データ・ブロックＳ３１を処理する、すなわち、末尾データ・ブロックＳ３１は、Ｆ２−１Ｈ２−１Ｈ３Ｆ３Ｓ３１に変換され、ここで、Ｆ２−１は、同期化されないＢＳ  １２のプリコーディング行列の逆行列であり、Ｈ２−１は、同期化されないＢＳ  １２からＭＳ  ２までのＤＬチャネルのチャネル伝送行列の逆行列であり、Ｈ３は、同期化されないＢＳ  １３からＭＳ  ２までのＤＬチャネルのチャネル伝送行列であり、Ｆ３は、同期化されないＢＳ  １３のプリコーディング行列である。
【００８１】
同期化されないＢＳ  １２が、処理された末尾データ・ブロックＦ２−１Ｈ２−１Ｈ３Ｆ３Ｓ３１をＭＳ  ２に送信し、同期化されないＢＳ  １３が、末尾データ・ブロックをクリッピングされた残りのデータＳ３２をＭＳ  ２に送信するので、ＭＳ  ２について、ＭＳ  ２の受信されるデータは、ｙ３＝Ｈ２Ｆ２Ｆ２−１Ｈ２−１Ｈ３Ｆ３Ｓ３１＋Ｈ３Ｆ３Ｓ３２＝Ｈ３Ｆ３Ｓ３すなわち、同期化されないＢＳ  １３に属するＤＬデータのすべてである。
【００８２】
ここで、伝送ダイバーシティという伝送の形がＢＳとＭＳとの間で使用される場合には、同期化されないＢＳ  １２が、それ自体のＤＬデータを送信するのにアンテナを使用することによって同期化されないＢＳ  １３の処理された末尾データ・ブロックを送信することができるが、空間多重化という伝送の形がＢＳとＭＳとの間で使用される場合には、同期化されないＢＳ  １２が、同期化されないＢＳ  １３の処理された末尾データ・ブロックを伝送するのに余分な伝送アンテナを使用しなければならないことに留意されたい。
【００８３】
同様に、同期化されないＢＳ  １３について、まず、同期化されないＢＳ  １３は、Ｘ２インターフェースを介して同期化されないＢＳ  １２からバックホール情報を受信する。ここで、同期化されないＢＳ  １３によって同期化されないＢＳ  １２から受信されるバックホール情報は、同期化されないＢＳ  １２からＭＳ  ２に伝送されなければならないＤＬデータと、同期化されないＢＳ  １２からＭＳ  ２までのＤＬチャネルのチャネル伝送行列と、同期化されないＢＳ  １２およびＭＳ  ２の同期はずれ情報すなわち同期化されないＢＳ  １２からＭＳ  ２までの伝搬遅延とを含む。
【００８４】
次に、同期化されないＢＳ  １３は、同期化されないＢＳ  １２からのバックホール情報内の同期はずれ情報が０より大きいかどうかを判定する。
【００８５】
同期化されないＢＳ  １２からＭＳ  ２までの伝搬距離は、同期化されたＢＳ  １１からＭＳ  ２までの伝搬距離より長いので、同期化されないＢＳ  １２に対応する同期はずれ情報は、０より大きい。
【００８６】
同期化されないＢＳ  １２に対応する同期はずれ情報が０より大きいので、ＤＬデータをＭＳ  ２に送信する時に、同期化されないＢＳ  １３は、同期化されないＢＳ  １２によって送信されたＤＬデータ内の同期はずれ情報の長さに対応する先頭データ・ブロックを処理し、同時に特定のタイム・スロットで処理された先頭データ・ブロックをＭＳ  ２に送信する。
【００８７】
ここで、特定のタイム・スロットは、ＤＬ信号を送信するために同期化されない基地局１３によって占有されるタイム・スロット内で、同期はずれ情報の長さだけ続く、開始タイム・スロットである。
【００８８】
したがって、同期化されないＢＳ  １２は、同期はずれ情報の長さに対応する先頭データ・ブロックをクリッピングされた、伝送すべきＤＬデータをＭＳ  ２に送信する。
【００８９】
たとえば、同期化されないＢＳ  １２およびＭＳ  ２の同期はずれ情報が０.１μｓである場合に、ＭＳ  ２にＤＬデータを送信する時に、同期化されないＢＳ  １３は、同期化されないＢＳ  １２によって送信されるＤＬデータ内の０.１μｓの長さに対応する先頭データ・ブロックを処理し、処理された先頭データ・ブロックを、同時にＤＬデータを送信するために０.１μｓの長さの開始タイム・スロットでＭＳ  ２に送信する。
【００９０】
したがって、同期化されないＢＳ  １２は、０．１μｓの長さに対応する先頭データ・ブロックをクリッピングされた、伝送すべきＤＬデータをＭＳ  ２に送信する。
【００９１】
図５から、２番目の行の上側部分が、同期化されないＢＳ  １２とＭＳ  ２との間の０．１μｓなどの伝搬遅延のゆえに、従来技術の解決策でＭＳ  ２の検出ウィンドウ内で受信される同期化されないＢＳ  １２からのＤＬデータに対応し、０．１μｓの長さを有するデータ・ブロック（図５では
【００９２】
【数１０】
0005260789.tif 000011
として図示）が、従来技術の解決策ではＭＳ  ２の検出ウィンドウの外に含まれることがわかる。本発明の解決策を使用した後には、同期化されないＢＳ  １２によって送信されるＤＬデータ内の０．１μｓの長さに対応する先頭データ・ブロック（図５では
【００９３】
【数１１】
0005260789.tif 000012
として図示）が、同期化されないＢＳ  １３がＤＬデータを送信する時に同時にＤＬデータを送信するために０．１μｓの長さの開始タイム・スロットで同期化されないＢＳ  １２ではなく同期化されないＢＳ  １３によって送信され、同期化されないＢＳ  １２によってＭＳ  ２に送信されるＤＬデータが、０．１μｓの長さに対応する先頭データ・ブロックをクリッピングされたＤＬデータである。したがって、２番目の行の下側部分の本発明の解決策から、ＭＳ  ２によって同期化されないＢＳ  １２から受信されるＤＬデータ（すなわち、０．１μｓの長さに対応する先頭データ・ブロックをクリッピングされたＤＬデータ）が、完全にＭＳ  ２の検出ウィンドウ内に含まれることがわかる。また、同期化されないＢＳ  １２ではなく同期化されないＢＳ  １３によって送信される先頭データ・ブロックは、ＭＳ  ２の検出ウィンドウ内に含まれ、この先頭データ・ブロックは、図５の３番目の行の下側部分に対応する
【００９４】
【数１２】
0005260789.tif 000013
によって示される。
【００９５】
さらに、前述の処理は、同期化されないＢＳ  １３が、伝送すべき先頭データ・ブロックに、同期化されないＢＳ  １２からＭＳ  ２までのＤＬチャネルのチャネル伝送行列および同期化されないＢＳ  １２のプリコーディング行列ならびに同期化されないＢＳ  １３からＭＳ  ２までのＤＬチャネルのチャネル伝送行列の逆行列および同期化されないＢＳ  １３のプリコーディング行列の逆行列を乗算することである。
【００９６】
具体的に言うと、同期化されないＢＳ  １２の伝送すべきＤＬデータがＳ２であり、同期化されないＢＳ  １２ではなく同期化されないＢＳ  １３によって送信される先頭データ・ブロックがＳ２１であると仮定すると、残りのデータ・ブロックは、Ｓ２２であり、Ｓ２＝Ｓ２１＋Ｓ２２である。
【００９７】
同期化されないＢＳ  １２の先頭データ・ブロックＳ２１をＭＳ  ２に送信する前に、同期化されないＢＳ  １３は、まず、先頭データ・ブロックＳ２１を処理する、すなわち、先頭データ・ブロックＳ２１は、Ｆ３−１Ｈ３−１Ｈ２Ｆ２Ｓ２１に変換され、ここで、Ｆ３−１は、同期化されないＢＳ  １３のプリコーディング行列の逆行列であり、Ｈ３−１は、同期化されないＢＳ  １３からＭＳ  ２までのＤＬチャネルのチャネル伝送行列の逆行列であり、Ｈ２は、同期化されないＢＳ  １２からＭＳ  ２までのＤＬチャネルのチャネル伝送行列であり、Ｆ２は、同期化されないＢＳ  １２のプリコーディング行列である。
【００９８】
同期化されないＢＳ  １３が、処理された先頭データ・ブロックＦ３−１Ｈ３−１Ｈ２Ｆ２Ｓ２１をＭＳ  ２に送信し、同期化されないＢＳ  １２が、先頭データ・ブロックをクリッピングされた残りのデータＳ２２をＭＳ  ２に送信するので、ＭＳ  ２について、ＭＳ  ２の受信されるデータは、ｙ２＝Ｈ３Ｆ３Ｆ３−１Ｈ３−１Ｈ２Ｆ２Ｓ２１＋Ｈ２Ｆ２Ｓ２２＝Ｈ２Ｆ２Ｓ２すなわち、同期化されないＢＳ  １２に属するＤＬデータのすべてである。
【００９９】
ここで、伝送ダイバーシティという伝送の形がＢＳとＭＳとの間で使用される場合には、同期化されないＢＳ  １３が、それ自体のＤＬデータを送信するのにアンテナを使用することによって同期化されないＢＳ  １２の処理された先頭データ・ブロックを送信することができるが、空間多重化という伝送の形がＢＳとＭＳとの間で使用される場合には、同期化されないＢＳ  １３が、同期化されないＢＳ  １２の処理された先頭データ・ブロックを伝送するのに余分な伝送アンテナを使用しなければならないことに留意されたい。
【０１００】
図６に示された変形形態では、同期化されないＢＳ  １４が含まれ、同期化されないＢＳ  １４からＭＳ  ２までの伝搬遅延は、同期化されないＢＳ  １２からＭＳ  ２までの伝搬遅延より大きい。
【０１０１】
同期化されないＢＳ  １２に対応する同期はずれ情報が０．１μｓであり、同期化されないＢＳ  １４に対応する同期はずれ情報が０．２μｓであると仮定すると、本発明の解決策の前述の説明から、同期化されないＢＳ  １４の伝送されるべきＤＬデータ内の０．２μｓの長さに対応する先頭データ・ブロックを、同期化されたＢＳ  １１がＤＬデータを送信する時に同時に同期化されたＢＳ  １１によって特定のタイム・スロットでＭＳ  ２に送信することができ、同期化されないＢＳ  １３がＤＬデータを送信する時に同時に同期化されないＢＳ  １３によって特定のタイム・スロットでＭＳ  ２に送信することもできることがわかる。
【０１０２】
確かに、当業者は、０．２μｓの長さに対応する先頭データ・ブロック内の後の０．１μｓデータ・ブロック（図６では
【０１０３】
【数１３】
0005260789.tif 000014
として図示）を、同期化されないＢＳ  １２がＤＬデータを送信する時に同時にＤＬデータを送信するために０．１μｓの長さの開始タイム・スロットで同期化されないＢＳ  １２によってＭＳ  ２に送信することができ、０．２μｓの長さに対応する先頭データ・ブロック内の前の０．１μｓデータ・ブロック（図６では
【０１０４】
【数１４】
0005260789.tif 000015
として図示）を、同期化されたＢＳ  １１または同期化されないＢＳ  １３がＤＬデータを送信する時に同時にＤＬデータを送信するために０．１μｓの長さの開始タイム・スロットで同期化されたＢＳ  １１または同期化されないＢＳ  １３によってＭＳ  ２に送信することができることを理解するであろう。
【０１０５】
上では、本発明の解決策が、方法の態様から説明され、下では、本発明の解決策が、デバイス・モジュールの態様からさらに説明される。
【０１０６】
下では、図２、図４、および図７を参照して、ダウンリンク・データをＭＳ  ２に送信する時に、同期化されたＢＳ  １１内の制御デバイス１００が、同期化されないＢＳ  １２および同期化されないＢＳ  １３のデータの一部分を処理し、それぞれ同時に特定のタイム・スロットでデータの処理された一部分をＭＳ  ２に送信するシナリオを説明する。先行する文脈での図２および図４に関する説明が、一緒に参考として使用される。
【０１０７】
図７に、本発明の一実施形態による、ダウンリンク・データをＭＳ  ２に送信する時の、同期化されないＢＳ  １２および同期化されないＢＳ  １３のデータの一部分を処理し、同時に異なるタイム・スロットでデータの処理された一部分をＭＳ  ２に送信する、同期化されたＢＳ  １１内の制御デバイス１００の構造のブロック図を示す。
【０１０８】
図７に示されているように、まず、同期化されたＢＳ  １１内の制御デバイス１００内の第１受信手段１００１は、それぞれ、Ｘ２インターフェースを介して同期化されないＢＳ  １２および同期化されないＢＳ  １３からバックホール情報を受信する。ここで、第１受信手段１００１によって同期化されないＢＳ  １２から受信されるバックホール・メッセージは、同期化されないＢＳ  １２からＭＳ  ２に伝送されなければならないＤＬデータと、同期化されないＢＳ  １２からＭＳ  ２までのＤＬチャネルのチャネル伝送行列と、同期化されないＢＳ  １２およびＭＳ  ２の同期はずれ情報すなわち同期化されないＢＳ  １２からＭＳ  ２までの伝搬遅延とを含み、第１受信手段１００１によって同期化されないＢＳ  １３から受信されるバックホール・メッセージは、同期化されないＢＳ  １３からＭＳ  ２に伝送されなければならないＤＬデータと、同期化されないＢＳ  １３からＭＳ  ２までのＤＬチャネルのチャネル伝送行列と、同期化されないＢＳ  １３およびＭＳ  ２の同期はずれ情報すなわち同期化されないＢＳ  １３からＭＳ  ２までの伝搬遅延とを含む。
【０１０９】
次に、同期化されたＢＳ  １１内の制御デバイス１００内の第１判定手段１００２は、それぞれ、同期化されないＢＳ  １２および同期化されないＢＳ  １３からのバックホール情報内の同期はずれ情報が０より大きいかどうかを判定する。
【０１１０】
ＭＳ  ２および同期化されたＢＳ  １１は、同期化を達成するので、同期化されたＢＳ  １１からＭＳ  ２までの同期はずれ情報は、０と考えられる。同期化されないＢＳ  １２からＭＳ  ２までの伝搬距離は、同期化されたＢＳ  １１からＭＳ  ２までの伝搬距離より長いので、同期化されないＢＳ  １２に対応する同期はずれ情報は、０より大きく、同期化されないＢＳ  １３からＭＳ  ２までの伝搬距離は、同期化されたＢＳ  １１からＭＳ  ２までの伝搬距離より短いので、同期化されないＢＳ  １３に対応する同期はずれ情報は、０より小さい。
【０１１１】
同期化されないＢＳ  １２に対応する同期はずれ情報は、０より大きいので、ＤＬデータをＭＳ  ２に送信する時に、同期化されたＢＳ  １１内の制御デバイス１００内の第１送信手段１００３は、同期化されないＢＳ  １２によって送信されたＤＬデータ内の同期はずれ情報の長さに対応する先頭データ・ブロックを処理し、同時に特定のタイム・スロットで処理された先頭データ・ブロックをＭＳ  ２に送信する。
【０１１２】
ここで、特定のタイム・スロットは、ＤＬデータを送信するために同期化された基地局１１内の第１送信手段１００３によって占有されるタイム・スロット内で、同期はずれ情報の長さだけ続く、開始タイム・スロットである。
【０１１３】
したがって、同期化されないＢＳ  １２内の第１支援制御デバイス内の第４送信手段は、同期はずれ情報の長さに対応する先頭データ・ブロックをクリッピングされた、伝送すべきＤＬデータをＭＳ  ２に送信する。
【０１１４】
たとえば、同期化されないＢＳ  １２およびＭＳ  ２の同期はずれ情報が０.１μｓである場合に、ＭＳ  ２にＤＬデータを送信する時に、同期化されたＢＳ  １１内の第１送信手段１００３は、同期化されないＢＳ  １２によって送信されるＤＬデータ内の０.１μｓの長さに対応する先頭データ・ブロックを処理し、処理された先頭データ・ブロックを、同時にＤＬデータを送信するために０.１μｓの長さの開始タイム・スロットでＭＳ  ２に送信する。
【０１１５】
したがって、同期化されないＢＳ  １２内の第１支援制御デバイス内の第４送信手段は、０．１μｓの長さに対応する先頭データ・ブロックをクリッピングされた、伝送すべきＤＬデータをＭＳ  ２に送信する。
【０１１６】
図４から、２番目の行の上側部分が、同期化されないＢＳ  １２とＭＳ  ２との間の０．１μｓなどの伝搬遅延のゆえに、従来技術の解決策でＭＳ  ２の検出ウィンドウ内で受信される同期化されないＢＳ  １２からのＤＬデータに対応し、０．１μｓの長さを有するデータ・ブロック（図４では
【０１１７】
【数１５】
0005260789.tif 000016
として図示）が、従来技術の解決策ではＭＳ  ２の検出ウィンドウの外に含まれることがわかる。本発明の解決策を使用した後には、同期化されないＢＳ  １２によって送信されるＤＬデータ内の０．１μｓの長さに対応する先頭データ・ブロック（図４では
【０１１８】
【数１６】
0005260789.tif 000017
として図示）が、同期化されたＢＳ  １１がＤＬデータを送信する時に同時にＤＬデータを送信するために０．１μｓの長さの開始タイム・スロットで同期化されないＢＳ  １２ではなく同期化されたＢＳ  １１内の第１送信手段１００３によって送信され、同期化されないＢＳ  １２内の第１支援制御デバイス内の第４送信手段によってＭＳ  ２に送信されるＤＬデータが、０．１μｓの長さに対応する先頭データ・ブロックをクリッピングされたＤＬデータである。したがって、２番目の行の下側部分の本発明の解決策から、ＭＳ  ２によって同期化されないＢＳ  １２から受信されるＤＬデータ（すなわち、０．１μｓの長さに対応する先頭データ・ブロックをクリッピングされたＤＬデータ）が、完全にＭＳ  ２の検出ウィンドウ内に含まれることがわかる。また、同期化されないＢＳ  １２ではなく同期化されたＢＳ  １１内の第１送信手段１００３によって送信される先頭データ・ブロックは、ＭＳ  ２の検出ウィンドウ内に含まれ、この先頭データ・ブロックは、図４の最初の行に対応する
【０１１９】
【数１７】
0005260789.tif 000018
によって示される。
【０１２０】
さらに、前述の処理は、伝送すべき先頭データ・ブロックに、同期化されないＢＳ  １２からＭＳ  ２までのＤＬチャネルのチャネル伝送行列および同期化されないＢＳ  １２のプリコーディング行列ならびに同期化されたＢＳ  １１からＭＳ  ２までのＤＬチャネルのチャネル伝送行列の逆行列および同期化されたＢＳ  １１のプリコーディング行列の逆行列を乗算することである。
【０１２１】
具体的に言うと、同期化されないＢＳ  １２の伝送すべきＤＬデータがＳ２であり、同期化されないＢＳ  １２ではなく同期化されたＢＳ  １１内の第１送信手段１００３によって送信される先頭データ・ブロックがＳ２１であると仮定すると、残りのデータ・ブロックは、Ｓ２２であり、Ｓ２＝Ｓ２１＋Ｓ２２である。
【０１２２】
同期化されないＢＳ  １２の先頭データ・ブロックＳ２１をＭＳ  ２に送信する前に、同期化されたＢＳ  １１内の第１送信手段１００３は、まず、先頭データ・ブロックＳ２１を処理する、すなわち、先頭データ・ブロックＳ２１は、Ｆ１−１Ｈ１−１Ｈ２Ｆ２Ｓ２１に変換され、ここで、Ｆ１−１は、同期化されたＢＳ  １１のプリコーディング行列の逆行列であり、Ｈ１−１は、同期化されたＢＳ  １１からＭＳ  ２までのＤＬチャネルのチャネル伝送行列の逆行列であり、Ｈ２は、同期化されないＢＳ  １２からＭＳ  ２までのＤＬチャネルのチャネル伝送行列であり、Ｆ２は、同期化されないＢＳ  １２のプリコーディング行列である。
【０１２３】
同期化されたＢＳ  １１内の第１送信手段１００３が、処理された先頭データ・ブロックＦ１−１Ｈ１−１Ｈ２Ｆ２Ｓ２１をＭＳ  ２に送信し、同期化されないＢＳ  １２内の第１支援制御デバイス内の第４送信手段が、先頭データ・ブロックをクリッピングされた残りのデータＳ２２をＭＳ  ２に送信するので、ＭＳ  ２について、ＭＳ  ２の受信されるデータは、ｙ２＝Ｈ１Ｆ１Ｆ１−１Ｈ１−１Ｈ２Ｆ２Ｓ２１＋Ｈ２Ｆ２Ｓ２２＝Ｈ２Ｆ２Ｓ２すなわち、同期化されないＢＳ  １２に属するＤＬデータのすべてである。
【０１２４】
ここで、伝送ダイバーシティという伝送の形がＢＳとＭＳとの間で使用される場合には、同期化されたＢＳ  １１が、それ自体のＤＬデータを送信するのにアンテナを使用することによって同期化されないＢＳ  １２の処理された先頭データ・ブロックを送信することができるが、空間多重化という伝送の形がＢＳとＭＳとの間で使用される場合には、同期化されたＢＳ  １１が、同期化されないＢＳ  １２の処理された先頭データ・ブロックを伝送するのに余分な伝送アンテナを使用しなければならないことに留意されたい。
【０１２５】
同様に、同期化されないＢＳ  １３に対応する同期はずれ情報は０より小さいので、ＤＬデータをＭＳ  ２に送信する時に、同期化されたＢＳ  １１内の制御デバイス１００内の第１送信手段１００３は、同期化されないＢＳ  １３によって送信されたＤＬデータ内の同期はずれ情報の長さに対応する末尾データ・ブロックを処理し、同時に特定のタイム・スロットで処理された末尾データ・ブロックをＭＳ  ２に送信する。
【０１２６】
ここで、特定のタイム・スロットは、ＤＬ信号を送信するために同期化された基地局１１内の第１送信手段１００３によって占有されるタイム・スロット内で、同期はずれ情報の長さだけ続く、最終タイム・スロットである。
【０１２７】
したがって、同期化されないＢＳ  １３内の第２支援制御デバイス内の第５送信手段は、同期はずれ情報の長さだけ伝送開始の瞬間を延期し、その後、同期はずれ情報の長さに対応する末尾データ・ブロックをクリッピングされた、伝送すべきＤＬデータをＭＳ  ２に送信する。
【０１２８】
たとえば、同期化されないＢＳ  １３およびＭＳ  ２の同期はずれ情報が−０.１μｓである場合に、ＭＳ  ２にＤＬデータを送信する時に、同期化されたＢＳ  １１内の第１送信手段１００３は、同期化されないＢＳ  １３によって送信されるＤＬデータ内の０.１μｓの長さに対応する末尾データ・ブロックを処理し、処理された末尾データ・ブロックを、同時にＤＬデータを送信するために０.１μｓの長さの最終タイム・スロットでＭＳ  ２に送信する。
【０１２９】
したがって、同期化されないＢＳ  １３内の第２支援制御デバイス内の第５送信手段は、０．１μｓの長さだけ伝送開始の瞬間を延期し、その後、０．１μｓの長さに対応する末尾データ・ブロックをクリッピングされた、伝送すべきＤＬデータをＭＳ  ２に送信する。
【０１３０】
図４から、３番目の行の上側部分が、同期化されないＢＳ  １３とＭＳ  ２との間の−０．１μｓなどの伝搬遅延のゆえに、従来技術の解決策でＭＳ  ２の検出ウィンドウ内で受信される同期化されないＢＳ  １３からのＤＬデータに対応し、０．１μｓの長さを有するデータ・ブロック（図４では
【０１３１】
【数１８】
0005260789.tif 000019
として図示）が、従来技術の解決策ではＭＳ  ２の検出ウィンドウの外に含まれることがわかる。本発明の解決策を使用した後には、同期化されないＢＳ  １３によって送信されるＤＬデータ内の０．１μｓの長さに対応する末尾データ・ブロック（図４では
【０１３２】
【数１９】
0005260789.tif 000020
として図示）が、同期化されたＢＳ  １１がＤＬデータを送信する時に同時にＤＬデータを送信するために０．１μｓの長さの最終タイム・スロットで同期化されないＢＳ  １３ではなく同期化されたＢＳ  １１内の第１送信手段１００３によって送信され、同期化されないＢＳ  １３内の第２支援制御デバイス内の第５送信手段は、０．１μｓの長さだけ伝送開始の瞬間を延期し、その後、０．１μｓの長さに対応する末尾データ・ブロックをクリッピングされた伝送されるべきＤＬデータをＭＳ  ２に送信する。したがって、３番目の行の下側部分の本発明の解決策から、ＭＳ  ２によって同期化されないＢＳ  １３から受信されるＤＬデータ（すなわち、０．１μｓの長さに対応する末尾データ・ブロックをクリッピングされたＤＬデータ）が、完全にＭＳ  ２の検出ウィンドウ内に含まれることがわかる。また、同期化されないＢＳ  １３ではなく同期化されたＢＳ  １１内の第１送信手段１００３によって送信される末尾データ・ブロックは、ＭＳ  ２の検出ウィンドウ内に含まれ、この末尾データ・ブロックは、図４の最初の行に対応する
【０１３３】
【数２０】
0005260789.tif 000021
によって示される。
【０１３４】
さらに、前述の処理は、伝送すべき末尾データ・ブロックに、同期化されないＢＳ  １３からＭＳ  ２までのＤＬチャネルのチャネル伝送行列および同期化されないＢＳ  １３のプリコーディング行列ならびに同期化されたＢＳ  １１からＭＳ  ２までのＤＬチャネルのチャネル伝送行列の逆行列および同期化されたＢＳ  １１のプリコーディング行列の逆行列を乗算することである。
【０１３５】
具体的に言うと、同期化されないＢＳ  １３の伝送すべきＤＬデータがＳ３であり、同期化されないＢＳ  １３ではなく同期化されたＢＳ  １１内の第１送信手段１００３によって送信される末尾データ・ブロックがＳ３１であると仮定すると、残りのデータ・ブロックは、Ｓ３２であり、Ｓ３＝Ｓ３１＋Ｓ３２である。
【０１３６】
同期化されないＢＳ  １３の末尾データ・ブロックＳ３１をＭＳ  ２に送信する前に、同期化されたＢＳ  １１内の第１送信手段１００３は、まず、末尾データ・ブロックＳ３１を処理する、すなわち、末尾データ・ブロックＳ３１は、Ｆ１−１Ｈ１−１Ｈ３Ｆ３Ｓ３１に変換され、ここで、Ｆ１−１は、同期化されたＢＳ  １１のプリコーディング行列の逆行列であり、Ｈ１−１は、同期化されたＢＳ  １１からＭＳ  ２までのＤＬチャネルのチャネル伝送行列の逆行列であり、Ｈ３は、同期化されないＢＳ  １３からＭＳ  ２までのＤＬチャネルのチャネル伝送行列であり、Ｆ３は、同期化されないＢＳ  １３のプリコーディング行列である。
【０１３７】
同期化されたＢＳ  １１内の第１送信手段１００３が、処理された末尾データ・ブロックＦ１−１Ｈ１−１Ｈ３Ｆ３Ｓ３１をＭＳ  ２に送信し、同期化されないＢＳ  １３内の第２支援制御デバイス内の第５送信手段が、末尾データ・ブロックをクリッピングされた残りのデータＳ３２をＭＳ  ２に送信するので、ＭＳ  ２について、ＭＳ  ２の受信されるデータは、ｙ３＝Ｈ１Ｆ１Ｆ１−１Ｈ１−１Ｈ３Ｆ３Ｓ３１＋Ｈ３Ｆ３Ｓ３２＝Ｈ３Ｆ３Ｓ３すなわち、同期化されないＢＳ  １３に属するＤＬデータのすべてである。
【０１３８】
ここで、伝送ダイバーシティという伝送の形がＢＳとＭＳとの間で使用される場合には、同期化されたＢＳ  １１が、それ自体のＤＬデータを送信するのにアンテナを使用することによって同期化されないＢＳ  １３の処理された末尾データ・ブロックを送信することができるが、空間多重化という伝送の形がＢＳとＭＳとの間で使用される場合には、同期化されたＢＳ  １１が、同期化されないＢＳ  １３の処理された末尾データ・ブロックを伝送するのに余分な伝送アンテナを使用しなければならないことに留意されたい。
【０１３９】
上では、ダウンリンク・データをＭＳ  ２に送信する時に、同期化されたＢＳ  １１内の制御デバイス１００が、同期化されないＢＳ  １２および同期化されないＢＳ  １３のデータの一部分を処理し、同時にそれぞれ特定のタイム・スロットでデータの処理された一部分をＭＳ  ２に送信するシナリオが説明されている。
【０１４０】
下では、図２および図５を参照して、ＤＬデータをＭＳ  ２に送信する時に、同期化されないＢＳ  １２が、同期化されないＢＳ  １３のデータの一部分を処理し、同時に特定のタイム・スロットで同期化されないＢＳ  １３のデータの処理された一部分をＭＳ  ２に送信し、ＤＬデータをＭＳ  ２に送信する時に、同期化されないＢＳ  １３が、同期化されないＢＳ  １２のデータの一部分を処理し、同時に特定のタイム・スロットで同期化されないＢＳ  １２のデータの処理された一部分をＭＳ  ２に送信するシナリオを説明する。
【０１４１】
先行する文脈での図２および図５に関する説明が、一緒に参考として使用される。
【０１４２】
同期化されないＢＳ  １２について、まず、同期化されないＢＳ  １２内の制御デバイス内の第２受信手段は、Ｘ２インターフェースを介して同期化されないＢＳ  １３からバックホール情報を受信する。ここで、同期化されないＢＳ  １２内の制御デバイス内の第２受信手段によって同期化されないＢＳ  １３から受信されるバックホール・メッセージは、同期化されないＢＳ  １３からＭＳ  ２に伝送されなければならないＤＬデータと、同期化されないＢＳ  １３からＭＳ  ２までのＤＬチャネルのチャネル伝送行列と、同期化されないＢＳ  １３およびＭＳ  ２の同期はずれ情報すなわち同期化されないＢＳ  １３からＭＳ  ２までの伝搬遅延とを含む。
【０１４３】
次に、同期化されないＢＳ  １２内の制御デバイス内の第２判定手段は、同期化されないＢＳ  １３からのバックホール情報内の同期はずれ情報が０より大きいかどうかを判定する。
【０１４４】
同期化されないＢＳ  １３からＭＳ  ２までの伝搬距離は、同期化されたＢＳ  １１からＭＳ  ２までの伝搬距離より短いので、同期化されないＢＳ  １３に対応する同期はずれ情報は、０より小さい。
【０１４５】
同期化されないＢＳ  １３に対応する同期はずれ情報が０より小さいので、ＤＬデータをＭＳ  ２に送信する時に、同期化されないＢＳ  １２内の制御デバイス内の第２送信手段は、同期化されないＢＳ  １３によって送信されたＤＬデータ内の同期はずれ情報の長さに対応する末尾データ・ブロックを処理し、同時に特定のタイム・スロットで処理された末尾データ・ブロックをＭＳ  ２に送信する。
【０１４６】
ここで、特定のタイム・スロットは、ＤＬデータを送信するために同期化されないＢＳ  １２内の制御デバイス内の第２送信手段によって占有されるタイム・スロット内で、同期はずれ情報の長さだけ続く、最終タイム・スロットである。
【０１４７】
したがって、同期化されないＢＳ  １３内の第２支援制御デバイス内の第５送信手段は、同期はずれ情報の長さだけ伝送開始の瞬間を延期し、同期はずれ情報の長さに対応する末尾データ・ブロックをクリッピングされた、伝送すべきＤＬデータをＭＳ  ２に送信する。
【０１４８】
たとえば、同期化されないＢＳ  １３およびＭＳ  ２の同期はずれ情報が−０.１μｓである場合に、ＭＳ  ２にＤＬデータを送信する時に、同期化されないＢＳ  １２内の制御デバイス内の第２送信手段は、同期化されないＢＳ  １３によって送信されるＤＬデータ内の０.１μｓの長さに対応する末尾データ・ブロックを処理し、処理された末尾データ・ブロックを、同時にＤＬデータを送信するために０.１μｓの長さの最終タイム・スロットでＭＳ  ２に送信する。
【０１４９】
したがって、同期化されないＢＳ  １３内の第２支援制御デバイス内の第５送信手段は、０．１μｓの長さだけ伝送開始の瞬間を延期し、その後、０．１μｓの長さに対応する末尾データ・ブロックをクリッピングされた、伝送すべきＤＬデータをＭＳ  ２に送信する。
【０１５０】
図５から、３番目の行の上側部分が、同期化されないＢＳ  １３とＭＳ  ２との間の−０．１μｓなどの伝搬遅延のゆえに、従来技術の解決策でＭＳ  ２の検出ウィンドウ内で受信される同期化されないＢＳ  １３からのＤＬデータに対応し、０．１μｓの長さを有するデータ・ブロック（図５では
【０１５１】
【数２１】
0005260789.tif 000022
として図示）が、従来技術の解決策ではＭＳ  ２の検出ウィンドウの外に含まれることがわかる。本発明の解決策を使用した後には、同期化されないＢＳ  １３によって送信されるＤＬデータ内の０．１μｓの長さに対応する末尾データ・ブロック（図５では
【０１５２】
【数２２】
0005260789.tif 000023
として図示）が、同期化されないＢＳ  １２がＤＬデータを送信する時に同時にＤＬデータを送信するために０．１μｓの長さの最終タイム・スロットで同期化されないＢＳ  １３ではなく同期化されないＢＳ  １２内の制御デバイス内の第２送信手段によって送信され、同期化されないＢＳ  １３内の第２支援制御デバイス内の第５送信手段は、０．１μｓの長さだけ伝送開始の瞬間を延期し、その後、０．１μｓの長さに対応する末尾データ・ブロックをクリッピングされた伝送されるべきＤＬデータをＭＳ  ２に送信する。したがって、３番目の行の下側部分の本発明の解決策から、ＭＳ  ２によって同期化されないＢＳ  １３から受信されるＤＬデータ（すなわち、０．１μｓの長さに対応する末尾データ・ブロックをクリッピングされたＤＬデータ）が、完全にＭＳ  ２の検出ウィンドウ内に含まれることがわかる。また、同期化されないＢＳ  １３ではなく同期化されないＢＳ  １２内の制御デバイス内の第２送信手段によって送信される末尾データ・ブロックは、ＭＳ  ２の検出ウィンドウ内に含まれ、この末尾データ・ブロックは、図５の２番目の行の下側部分に対応する
【０１５３】
【数２３】
0005260789.tif 000024
によって示される。
【０１５４】
さらに、前述の処理は、同期化されないＢＳ  １２内の制御デバイス内の第２送信手段が、伝送すべき末尾データ・ブロックに、同期化されないＢＳ  １３からＭＳ  ２までのＤＬチャネルのチャネル伝送行列および同期化されないＢＳ  １３のプリコーディング行列ならびに同期化されないＢＳ  １２からＭＳ  ２までのＤＬチャネルのチャネル伝送行列の逆行列および同期化されないＢＳ  １２のプリコーディング行列の逆行列を乗算することである。
【０１５５】
具体的に言うと、同期化されないＢＳ  １３の伝送すべきＤＬデータがＳ３であり、同期化されないＢＳ  １３ではなく同期化されないＢＳ  １２内の制御デバイス内の第２送信手段によって送信される末尾データ・ブロックがＳ３１であると仮定すると、残りのデータ・ブロックは、Ｓ３２であり、Ｓ３＝Ｓ３１＋Ｓ３２である。
【０１５６】
同期化されないＢＳ  １３の末尾データ・ブロックＳ３１をＭＳ  ２に送信する前に、同期化されないＢＳ  １２内の制御デバイス内の第２送信手段は、まず、末尾データ・ブロックＳ３１を処理する、すなわち、末尾データ・ブロックＳ３１は、Ｆ２−１Ｈ２−１Ｈ３Ｆ３Ｓ３１に変換され、ここで、Ｆ２−１は、同期化されないＢＳ  １２のプリコーディング行列の逆行列であり、Ｈ２−１は、同期化されないＢＳ  １２からＭＳ  ２までのＤＬチャネルのチャネル伝送行列の逆行列であり、Ｈ３は、同期化されないＢＳ  １３からＭＳ  ２までのＤＬチャネルのチャネル伝送行列であり、Ｆ３は、同期化されないＢＳ  １３のプリコーディング行列である。
【０１５７】
同期化されないＢＳ  １２内の制御デバイス内の第２送信手段が、処理された末尾データ・ブロックＦ２−１Ｈ２−１Ｈ３Ｆ３Ｓ３１をＭＳ  ２に送信し、同期化されないＢＳ  １３内の第２支援制御デバイス内の第５送信手段が、末尾データ・ブロックをクリッピングされた残りのデータＳ３２をＭＳ  ２に送信するので、ＭＳ  ２について、ＭＳ  ２の受信されるデータは、ｙ３＝Ｈ２Ｆ２Ｆ２−１Ｈ２−１Ｈ３Ｆ３Ｓ３１＋Ｈ３Ｆ３Ｓ３２＝Ｈ３Ｆ３Ｓ３すなわち、同期化されないＢＳ  １３に属するＤＬデータのすべてである。
【０１５８】
ここで、伝送ダイバーシティという伝送の形がＢＳとＭＳとの間で使用される場合には、同期化されないＢＳ  １２が、それ自体のＤＬデータを送信するのにアンテナを使用することによって同期化されないＢＳ  １３の処理された末尾データ・ブロックを送信することができるが、空間多重化という伝送の形がＢＳとＭＳとの間で使用される場合には、同期化されないＢＳ  １２が、同期化されないＢＳ  １３の処理された末尾データ・ブロックを伝送するのに余分な伝送アンテナを使用しなければならないことに留意されたい。
【０１５９】
同様に、同期化されないＢＳ  １３について、まず、同期化されないＢＳ  １３内の制御デバイス内の第３受信手段は、Ｘ２インターフェースを介して同期化されないＢＳ  １２からバックホール情報を受信する。ここで、同期化されないＢＳ  １３内の制御デバイス内の第３受信手段によって同期化されないＢＳ  １２から受信されるバックホール情報は、同期化されないＢＳ  １２からＭＳ  ２に伝送されなければならないＤＬデータと、同期化されないＢＳ  １２からＭＳ  ２までのＤＬチャネルのチャネル伝送行列と、同期化されないＢＳ  １２およびＭＳ  ２の同期はずれ情報すなわち同期化されないＢＳ  １２からＭＳ  ２までの伝搬遅延とを含む。
【０１６０】
次に、同期化されないＢＳ  １３内の制御デバイス内の第３判定デバイスは、同期化されないＢＳ  １２からのバックホール情報内の同期はずれ情報が０より大きいかどうかを判定する。
【０１６１】
同期化されないＢＳ  １２からＭＳ  ２までの伝搬距離は、同期化されたＢＳ  １１からＭＳ  ２までの伝搬距離より長いので、同期化されないＢＳ  １２に対応する同期はずれ情報は、０より大きい。
【０１６２】
同期化されないＢＳ  １２に対応する同期はずれ情報が０より大きいので、ＤＬデータをＭＳ  ２に送信する時に、同期化されないＢＳ  １３内の制御デバイス内の第３送信手段は、同期化されないＢＳ  １２によって送信されたＤＬデータ内の同期はずれ情報の長さに対応する先頭データ・ブロックを処理し、同時に特定のタイム・スロットで処理された先頭データ・ブロックをＭＳ  ２に送信する。
【０１６３】
ここで、特定のタイム・スロットは、ＤＬ信号を送信するために同期化された基地局１３内の制御デバイス内の第３送信手段によって占有されるタイム・スロット内で、同期はずれ情報の長さだけ続く、開始タイム・スロットである。
【０１６４】
したがって、同期化されないＢＳ  １２内の第１支援制御デバイス内の第４送信手段は、同期はずれ情報の長さに対応する先頭データ・ブロックをクリッピングされた、伝送すべきＤＬデータをＭＳ  ２に送信する。
【０１６５】
たとえば、同期化されないＢＳ  １２およびＭＳ  ２の同期はずれ情報が０.１μｓである場合に、ＭＳ  ２にＤＬデータを送信する時に、同期化されないＢＳ  １３内の制御デバイス内の第３送信手段は、同期化されないＢＳ  １２によって送信されるＤＬデータ内の０.１μｓの長さに対応する先頭データ・ブロックを処理し、処理された先頭データ・ブロックを、同時にＤＬデータを送信するために０.１μｓの長さの開始タイム・スロットでＭＳ  ２に送信する。
【０１６６】
したがって、同期化されないＢＳ  １２内の第１支援制御デバイス内の第４送信手段は、０．１μｓの長さに対応する先頭データ・ブロックをクリッピングされた、伝送すべきＤＬデータをＭＳ  ２に送信する。
【０１６７】
図５から、２番目の行の上側部分が、同期化されないＢＳ  １２とＭＳ  ２との間の０．１μｓなどの伝搬遅延のゆえに、従来技術の解決策でＭＳ  ２の検出ウィンドウ内で受信される同期化されないＢＳ  １２からのＤＬデータに対応し、０．１μｓの長さを有するデータ・ブロック（図５では
【０１６８】
【数２４】
0005260789.tif 000025
として図示）が、従来技術の解決策ではＭＳ  ２の検出ウィンドウの外に含まれることがわかる。本発明の解決策を使用した後には、同期化されないＢＳ  １２によって送信されるＤＬデータ内の０．１μｓの長さに対応する先頭データ・ブロック（図５では
【０１６９】
【数２５】
0005260789.tif 000026
として図示）が、同期化されないＢＳ  １３がＤＬデータを送信する時に同時にＤＬデータを送信するために０．１μｓの長さの開始タイム・スロットで同期化されないＢＳ  １２ではなく同期化されないＢＳ  １３内の制御デバイス内の第３送信手段によって送信され、同期化されないＢＳ  １２内の第１支援制御デバイス内の第４送信手段によってＭＳ  ２に送信されるＤＬデータが、０．１μｓの長さに対応する先頭データ・ブロックをクリッピングされたＤＬデータである。したがって、２番目の行の下側部分の本発明の解決策から、ＭＳ  ２によって同期化されないＢＳ  １２から受信されるＤＬデータ（すなわち、０．１μｓの長さに対応する先頭データ・ブロックをクリッピングされたＤＬデータ）が、完全にＭＳ  ２の検出ウィンドウ内に含まれることがわかる。また、同期化されないＢＳ  １２ではなく同期化されないＢＳ  １３内の制御デバイス内の第３送信手段によって送信される先頭データ・ブロックは、ＭＳ  ２の検出ウィンドウ内に含まれ、この先頭データ・ブロックは、図５の３番目の行の下側部分に対応する
【０１７０】
【数２６】
0005260789.tif 000027
によって示される。
【０１７１】
さらに、前述の処理は、同期化されないＢＳ  １３内の制御デバイス内の第３送信手段が、伝送すべき先頭データ・ブロックに、同期化されないＢＳ  １２からＭＳ  ２までのＤＬチャネルのチャネル伝送行列および同期化されないＢＳ  １２のプリコーディング行列ならびに同期化されないＢＳ  １３からＭＳ  ２までのＤＬチャネルのチャネル伝送行列の逆行列および同期化されないＢＳ  １３のプリコーディング行列の逆行列を乗算することである。
【０１７２】
具体的に言うと、同期化されないＢＳ  １２の伝送すべきＤＬデータがＳ２であり、同期化されないＢＳ  １２ではなく同期化されないＢＳ  １３内の制御デバイス内の第３送信手段によって送信される先頭データ・ブロックがＳ２１であると仮定すると、残りのデータ・ブロックは、Ｓ２２であり、Ｓ２＝Ｓ２１＋Ｓ２２である。
【０１７３】
同期化されないＢＳ  １２の先頭データ・ブロックＳ２１をＭＳ  ２に送信する前に、同期化されないＢＳ  １３内の制御デバイス内の第３送信手段は、まず、先頭データ・ブロックＳ２１を処理する、すなわち、先頭データ・ブロックＳ２１は、Ｆ３−１Ｈ３−１Ｈ２Ｆ２Ｓ２１に変換され、ここで、Ｆ３−１は、同期化されないＢＳ  １３のプリコーディング行列の逆行列であり、Ｈ３−１は、同期化されないＢＳ  １３からＭＳ  ２までのＤＬチャネルのチャネル伝送行列の逆行列であり、Ｈ２は、同期化されないＢＳ  １２からＭＳ  ２までのＤＬチャネルのチャネル伝送行列であり、Ｆ２は、同期化されないＢＳ  １２のプリコーディング行列である。
【０１７４】
同期化されないＢＳ  １３内の制御デバイス内の第３送信手段が、処理された先頭データ・ブロックＦ３−１Ｈ３−１Ｈ２Ｆ２Ｓ２１をＭＳ  ２に送信し、同期化されないＢＳ  １２内の第１支援制御デバイス内の第４送信手段が、先頭データ・ブロックをクリッピングされた残りのデータＳ２２をＭＳ  ２に送信するので、ＭＳ  ２について、ＭＳ  ２の受信されるデータは、ｙ２＝Ｈ３Ｆ３Ｆ３−１Ｈ３−１Ｈ２Ｆ２Ｓ２１＋Ｈ２Ｆ２Ｓ２２＝Ｈ２Ｆ２Ｓ２すなわち、同期化されないＢＳ  １２に属するＤＬデータのすべてである。
【０１７５】
ここで、伝送ダイバーシティという伝送の形がＢＳとＭＳとの間で使用される場合には、同期化されないＢＳ  １３が、それ自体のＤＬデータを送信するのにアンテナを使用することによって同期化されないＢＳ  １２の処理された先頭データ・ブロックを送信することができるが、空間多重化という伝送の形がＢＳとＭＳとの間で使用される場合には、同期化されないＢＳ  １３が、同期化されないＢＳ  １２の処理された先頭データ・ブロックを伝送するのに余分な伝送アンテナを使用しなければならないことに留意されたい。
【０１７６】
本発明の詳細な実施形態が、上で説明され、本発明が前述の特定の実施形態に限定されないことが、理解される必要があり、当業者は、添付の特許請求の範囲の範囲内ですべての種類の変形形態または修正形態を作ることができる。
【図３】
0005260789.tif 000028
【図７】
0005260789.tif 000029
【図１】
0005260789.tif 000030
【図２】
0005260789.tif 000031
【図４】
0005260789.tif 000032
【図５】
0005260789.tif 000033
【図６】
0005260789.tif 000034